(57)【要約】【課題】ドアが長時間開成される調理の待機時に電源回路や制御回路の無駄な電力消費をなくして省エネを達成することができる調理器を提供する。【解決手段】加熱源が動作していない調理待機モード状態や加熱源が動作している調理モード状態である旨を表示する表示手段６と、ドア３の開成でＯＮ動作し閉塞でＯＦＦ動作するドアスイッチ１０と、ドアスイッチ１０に並列接続された電力開閉手段２２と、ドアスイッチ１０がＯＮして商用電源８から電源手段２３に電力が供給されたときに、所定のタイマー時間を設定して計時を開始するタイマー手段２７と、このタイマー手段２７での計時がタイマー時間に達したときに、電力開閉手段２２をＯＦＦし、及び／又は、表示手段６の表示を消灯して省電力モード状態へ遷移させるモード変更手段とを備える。【選択図】        図２
2005009696.tif 000002
【特許請求の範囲】
【請求項１】
食品を収納するために開閉するドアを有する加熱室と、該加熱室内の前記食品を加熱する加熱源と、該加熱源の動作内容を設定する入力手段と、前記ドアの開閉を検出するドア開閉検出手段と、前記入力手段の設定に基づいて前記加熱源の動作を制御する制御手段と、該制御手段の電源を供給する電源手段と、前記制御手段に電源が供給されて前記加熱源が動作していない調理待機モード状態や前記加熱源が動作している調理モード状態である旨を表示する表示手段と、商用電源と前記電源手段との間に介設されて前記ドアの開成でＯＮ動作し閉塞でＯＦＦ動作するドアスイッチと、該ドアスイッチに並列接続された電力開閉手段と、前記ドアスイッチがＯＮして前記商用電源から前記電源手段に電力が供給されたときに、所定のタイマー時間を設定して計時を開始するタイマー手段と、該タイマー手段での計時が前記タイマー時間に達したときに、前記電力開閉手段をＯＦＦし、及び／又は、前記表示手段の表示を消灯して省電力モード状態へ遷移させるモード変更手段とを備えたことを特徴とする調理器。
【請求項２】
前記電力開閉手段は前記ドアスイッチに並列接続され、該ドアスイッチがＯＮ動作したときＯＮして前記商用電源を前記電源手段に接続することを特徴とする請求項１記載の調理器。
【請求項３】
前記電力開閉手段は前記ドアスイッチに並列接続され、前記ドア開閉検出手段が前記ドアの開成を検出しているときはＯＦＦし、前記ドアの閉塞を検出するとＯＮして前記商用電源を前記電源手段に接続することを特徴とする請求項１記載の調理器。
【請求項４】
前記モード変更手段は、前記省電力モード状態のとき、前記入力手段からの操作入力を検出した場合、又は、前記ドア開閉検出手段が前記ドアの閉塞から開成への遷移を検出した場合、若しくは、前記ドア開閉検出手段が前記ドアの閉塞を検出した場合に前記電力開閉手段をＯＮし、及び／又は、前記表示手段の表示を点灯し、前記タイマー手段の計時を再セットして計時を開始することを特徴とする請求項１乃至３のいずれかに記載の調理器。
【請求項５】
前記加熱室の物理量を測定する物理量測定手段と、前記ドアスイッチがＯＮして前記商用電源から前記電源手段に電力が供給されたときに、前記物理量測定手段が検出した初期物理量を記憶する初期物理量記憶手段とを備え、
前記モード変更手段は、前記省電力モード状態のとき、前記物理量測定手段が検出した物理量が前記初期物理量記憶手段の記憶している初期物理量から所定物理量以上変動した場合に前記電力開閉手段をＯＮし、及び／又は、前記表示手段の表示を点灯し、前記タイマー手段の計時を再セットして計時を開始することを特徴とする請求項１乃至４のいずれかに記載の調理器。
【請求項６】
前記調理待機モード状態において調理設定中、若しくは、調理中断中であるか否かを判断する調理設定判断手段を備え、
前記入力手段は、前記調理待機モード状態において調理時間等を設定する調理設定手段と、前記調理モード状態において調理を中止し、前記調理待機モード状態においては調理設定を取り消す取消手段とを有し、前記調理待機モード状態において前記取消手段からの操作入力を検出したとき、前記調理設定判断手段が調理設定中、若しくは、調理中断中でないと判断した場合には、前記タイマー手段での計時が前記タイマー時間に達する以前に、前記電力開閉手段をＯＦＦし、及び／又は、前記表示手段の表示を消灯して前記省電力モード状態へ遷移させることを特徴とする請求項１乃至５のいずれかに記載の調理器。
【請求項７】
前記タイマー手段での計時が前記タイマー時間に達する以前に、前記入力手段からの操作入力を検出した場合に、前記タイマー時間を再設定して計時を開始することを特徴とする請求項１乃至６のいずれかに記載の調理器。
【請求項８】
前記調理待機モード状態のとき、前記タイマー手段は、前記入力手段からの操作入力による調理設定、若しくは、前記ドア開閉検出手段によるドア開成検出に基づく調理中断であると判断した場合、前記タイマー時間を、前記調理設定中、若しくは、調理中断中でない場合のタイマー時間よりも長くすることを特徴とする請求項１乃至７のいずれかに記載の調理器。
【請求項９】
前記省電力モード状態のとき、前記入力手段からの操作入力を検出した場合、前記タイマー手段は、直前の前記調理待機モード状態が調理設定中、若しくは、調理中断中であると判断したときは、前記タイマー時間を、前記調理設定中、若しくは、調理中断中でない場合のタイマー時間よりも長くすることを特徴とする請求項１乃至８のいずれかに記載の調理器。
【発明の詳細な説明】
【０００１】
【発明の属する技術分野】
本発明は電気機器、詳しくはオーブンレンジ、電子レンジ、電気オーブン、トースターなどの調理器に関するものである。
【０００２】
【従来の技術】
動作待機状態の無駄な電力を無くす調理器は、食品を加熱する加熱源と、その加熱源の動作内容を設定する入力手段とドアの開閉を検出するドア開閉検出手段とを備えて加熱源の動作を制御する制御手段と、その制御手段の電源となる電源回路と、商用電源とその電源回路との間に介設されてドアの開成でＯＮ動作し閉塞でＯＦＦ動作するドアスイッチとで構成されていた（例えば、特許文献１参照。）。
【０００３】
【特許文献１】
特開平７−２１７９０６号公報
【０００４】
この調理器は、電源回路を通じて制御手段に電源が供給されたことを検出した時、制御手段をリセットするリセット回路を当該制御手段に設けると共に、ＯＮすることによって商用電源を電源回路に接続する電力開閉手段をドアスイッチに並列に接続している。
【０００５】
さらに、制御手段は、ドアの開成によりドアスイッチがＯＮして商用電源から電源回路に電力が供給された時にリセット回路によりリセットされて所定のタイマー時間を設定すると共にその後ドア開閉検出手段によりドアの閉塞が検出された時にその所定のタイマー時間の計時を開始する。そして、タイマー時間の計時が行われている間にドア開閉検出手段がドアの開成を検出しないか、又は入力手段の操作入力がない場合に電力開閉手段をＯＦＦさせていた。
【０００６】
【発明が解決しようとする課題】
しかしながら、従来の調理器のタイマー時間は、ドア開閉検出手段でドアの閉塞が検出されたときに計時を開始していたため、例えばドアを開成したまま放置しておくと調理器の電源回路や制御回路に通電されたままとなり無駄な電力を消費してしまうという問題があった。さらにその後にドアの開成に気づいてドアを閉塞したとしても、ドアを閉塞した時点から所定時間計時してから電力開閉手段をＯＦＦさせることになるので、ここでまた無駄な電力を消費してしまう問題もあった。
【０００７】
本発明は、係る従来技術の課題を解決するために成されたものであり、ドアが長時間開成される調理の待機時に電源回路や制御回路の無駄な電力消費をなくして省エネを達成することができる調理器を提供することを目的とする。
【０００８】
【課題を解決するための手段】
前記目的を達成するために、本発明にかかる調理器は、食品を収納するために開閉するドアを有する加熱室と、該加熱室内の食品を加熱する加熱源と、該加熱源の動作内容を設定する入力手段と、ドアの開閉を検出するドア開閉検出手段と、入力手段の設定に基づいて加熱源の動作を制御する制御手段と、該制御手段の電源を供給する電源手段と、制御手段に電源が供給されて加熱源が動作していない調理待機モード状態や加熱源が動作している調理モード状態である旨を表示する表示手段と、商用電源と電源手段との間に介設されてドアの開成でＯＮ動作し閉塞でＯＦＦ動作するドアスイッチと、該ドアスイッチに並列接続された電力開閉手段と、ドアスイッチがＯＮして商用電源から電源手段に電力が供給されたときに、所定のタイマー時間を設定して計時を開始するタイマー手段と、該タイマー手段での計時がタイマー時間に達したときに、電力開閉手段をＯＦＦし、及び／又は、表示手段の表示を消灯して省電力モード状態へ遷移させるモード変更手段とを備えたことを特徴とする。
【０００９】
【発明の実施の形態】
実施の形態１．
以下、本発明の一実施形態について図面を用いて説明する。図１は、本発明の一実施形態にかかる調理器であるオーブンレンジの外観斜視図である。同図において、本実施形態の調理器であるオーブンレンジ本体１は、オーブンレンジ本体１に内設し食品を収納するための加熱室２、この加熱室２の前面開口を開閉するためのドア３、加熱室２に収納した食品の加熱を指示したり取り消したりするための入力手段５及び表示手段６が配置された操作部４を有している。入力手段５としては、スタートキー５ｃを押さずにダイレクトに調理を開始し、センサー（図示せず）により時間設定無しに自動調理を行わせるあたためキー５ａ、手動設定キーの１例のレンジキー５ｂ、調理を開始させるスタートキー５ｃ、及び回動して調理時間や温度を設定するためのダイヤル５ｅ等が設けられ、これらは本発明の調理設定手段に相当している。また、設定を解除したり、調理を取り消すためのとりけしキー５ｄは本発明の取消手段に相当している。
【００１０】
図２は、本実施形態におけるオーブンレンジの制御回路図を示している。同図に示すように商用電源としての商用交流電源８は、電流ヒューズ９（過電流保護装置）、商用交流電源８の一方に接続されたドアスイッチ１０（本発明の開閉検出手段に相当）を介して電力を供給するように構成されており、ドア３の開成時に可動接点１０ａを一方の固定接点１０ｂ側にＯＮし、ドア３の閉塞時には可動接点１０ａを他方の固定接点１０ｃ側にＯＮする。また、上述のドアスイッチ１０がドア３開成時に可動接点１０ａが一方の固定接点１０ｂ側にＯＮしない故障が発生したとき電流ヒューズ９を溶断させるためのモニタスイッチ１１を有している。
【００１１】
さらに本実施形態の調理器であるオーブンレンジは、調理中に加熱室２を照明するためのオーブンランプ１２、加熱室２の底のターンテーブルを回転させるターンテーブルモータ１３、加熱室２の天面に設けられた電熱ヒータ１４（上ヒータ）、加熱室２底面に設けられた電熱ヒータ１５（下ヒータ）、マグネトロンなどで構成された高周波発生源１６、その高周波発生源１６を冷却するファンモータ１７を備えている。尚、上下ヒータ１４、１５及び高周波発生源１６は本発明の加熱源に相当するものである。
【００１２】
リレー１８、１９、２０、２１は制御手段２５に制御されて上述のオーブンランプ１２やターンテーブルモータ１３、上下ヒータ１４、１５、高周波発生源１６の商用交流電源８への接続をＯＮ／ＯＦＦ制御するためのものである。リレー２２はドアスイッチ１０に並列に接続された本発明の電力開閉手段に相当するものであり、制御手段２５によってＯＮ／ＯＦＦ制御される。尚、電力開閉手段はドア３の開閉を検出できるものであれば赤外線センサ、超音波センサなどでもよい。
【００１３】
制御手段２５の電源回路２３は、本発明の電源手段に相当するもので、前述のドアスイッチ１０とリレー２２の並列回路によって商用交流電源８と接続され、直流電圧を発生するものである。リセット回路２４は、電源回路２３が商用交流電源８に接続して、制御手段２５が正常に動作する電圧まで、その直流電圧が立ち上がったときに、それを捉えてリセット信号を出力し制御手段２５を初期化するするものである。
【００１４】
前記制御手段２５は、加熱手段を選択したり加熱時間を設定する入力手段５やドア３の開閉状態を検出するドア開閉検出回路２６の入力を受け、入力手段５の操作入力によって選択設定された調理による加熱源の種類、加熱時間や使用者に向けてメッセージを表示するための表示手段６や上述のリレー１８〜２２を駆動し制御する。また、制御手段２５は、時間を計時するためのタイマー２７（本発明のタイマー手段に相当）を備えている。
【００１５】
ここで、消費電力ゼロモード状態と省電力モード状態の説明を行う。消費電力ゼロモード状態は、商用交流電源８が断電（オーブンランプ１２やターンテーブルモータ１３、上下ヒータ１４，１５、高周波発生源１６がＯＦＦ状態）し、電源回路２３から制御手段２５への通電が断たれ制御手段２５が正常に動作する直流電圧を発生していない状態（ドアスイッチ１０の可動接点１０ａが他方の固定接点１０ｃ側にＯＮしてリレー２２がＯＦＦしている状態）を言う。即ち、消費電力ゼロモード状態は、商用交流電源８とオーブンレンジとが電気的に切り離されオーブンレンジの電源回路２３や制御回路が無駄な電力を消費していない状態を言う。図２で消費電力ゼロモード状態は、リレー１８がＯＦＦ、リレー１０がＯＦＦ（可動接点１０ａと一方の固定接点１０ｂがＯＦＦ）、リレー２２がＯＦＦ状態となる。尚、各リレー１８、１０、２２は商用交流電源８が通電されない状態でそれぞれＯＦＦ状態となる。これに対して、省電力モード状態は、電源回路２３から制御手段２５に電源が供給され、リレー２２がＯＦＦ状態で表示手段６の表示を消灯して無駄な消費電力が少なく入力手段５が入力待ちの状態を言う。
【００１６】
斯かる構成でオーブンレンジの動作を図３乃至５のフローチャートに基づいて説明する。なお、図３乃至５のフローチャートは、同一のアルファベット間において、矢印に従い連結しているものである。まず、図３の（Ｓ１）で前述した消費電力ゼロモード状態となっているとき使用者がこのオーブンレンジを使用するためにドア３を開成する（Ｓ２）と、ドアスイッチ１０の可動接点１０ａが一方の固定接点１０ｂ側にＯＮし、これによってリレー２２を介さずに商用交流電源８から電源回路２３に電力が供給される（Ｓ４）。この電源回路２３からの出力である直流電圧の立ち上がりを捉えて、リセット回路２４は制御手段２５にリセット信号を出力する（Ｓ５）。このリセット信号を受けて制御手段２５はＯＮすると共に動作のリセットを行い（Ｓ６）、リレー２２をＯＮ（Ｓ７）し表示手段６へ通電を開始し（Ｓ８）する。ここで制御手段２５は、調理待機モード状態の初期状態である「０」を表示手段６に表示し、調理待機モード状態となる（Ｓ９）。
【００１７】
（Ｓ１０）では、タイマー２７に所定の時間をセットする。ここでは、例えばタイマー２７のセット時間を５分とする。（Ｓ１１）では（Ｓ１０）でセットされたタイマー２７のタイマー計時動作、即ち、タイマー計時の減算動作を開始する。次に、（Ｓ１２）ではタイマー２７のセット時間が０となったか否かを判定し、タイマー２７のセット時間が０となっていなければ図５の（Ｓ１３）へ遷移する。そこで使用者によって食品が加熱室２に入れられてドア３が閉塞されるのを待つ。さらにドア３が閉塞されなければ、（Ｓ１４）へ遷移する。（Ｓ１４）では使用者が入力手段５を操作したか否かを判断する。さらに使用者が入力手段５を操作しないときは図３の（Ｓ１１）に戻りタイマー２７のタイマー計時を継続し以降前述同様の動作が行われる。
【００１８】
図５の（Ｓ１４）で、使用者が入力手段５を操作、例えば、レンジキー５ｂとダイヤル５ｅの回動で、「レンジ」、「６：００（６分）」を設定すると、（Ｓ１５）へ遷移する。（Ｓ１５）では、この後スタートキー５ｃを押圧操作して調理を行う予定があると思われるため、ここではタイマー２７のセット時間を例えば３０分に再設定し、図３の（Ｓ１１）に戻りタイマー２７のタイマー計時を継続し以降前述同様の動作が行われる。また、図５の（Ｓ１３）でドア３が閉塞されると、ドアスイッチ１０の可動接点１０ａが一方の固定接点１０ｂとの接続をＯＦＦ（Ｓ１６）し、引き続きタイマー２７のタイマー計時を継続する（Ｓ１７）。
【００１９】
次に（Ｓ１８）では入力手段５からの操作で調理開始を指示したか否かを判断し、使用者が調理開始を指示していない場合は（Ｓ１９）へ遷移する。（Ｓ１９）ではタイマー２７のセット時間が０となったか否かを判定する。さらにタイマー２７のセット時間が０となっていない場合は（Ｓ２０）へ遷移する。（Ｓ２０）では再びドア３が開成されるか否かを判断し、ドア３が開成されてない場合は（Ｓ２１）へ遷移する。（Ｓ２１）では使用者が入力手段５を操作したか否かを判断し、使用者が入力手段５を操作していない場合は（Ｓ１７）へ戻り、タイマー２７のタイマー計時を継続し以降前述同様の動作が行われる。
【００２０】
（Ｓ１８）で、例えば入力手段５からの操作で調理開始が指示され、指示された調理がレンジモードの場合では、リレー１８，２１をＯＮし、表示手段６の表示を調理中である旨の動作表示にして調理モード状態へ遷移（Ｓ２２）し、タイマー２７のタイマー計時を中止する（Ｓ２３）。次に（Ｓ２４）へ遷移し、途中で調理の中断がない場合は（Ｓ２５）で調理の終了を判断する。まだ調理が終了しない場合は（Ｓ２３）へ戻り、調理の継続を行う。（Ｓ２５）で調理が終了したと判断すると（Ｓ２６）へ遷移し、リレー１８，２１をＯＦＦするなどの加熱終了動作を行い、（Ｓ２７）へ遷移する。
【００２１】
（Ｓ２７）では、リレー２２をＯＦＦし、その後、図４の（Ｓ２８）で電源回路２３は商用交流電源８との接続が断たれる。しかし、電源回路２３の容量の関係により、１秒未満の間リセット回路２４からリセット信号が入力されるまで制御手段２５はＯＦＦせずに電源回路２３から電力が供給される。その間、（Ｓ２９）では再びドア３が開成されるか否かを判断し、ドア３が開成されない場合に（Ｓ３０）でリセット回路２４からリセット信号が出力されて、制御手段２５がＯＦＦ（Ｓ３１）、表示手段６への通電が消灯（Ｓ３２）して前述した消費電力ゼロモード状態に戻る（Ｓ３３）。また、（Ｓ２９）で、ドア開閉検出手段がドア３の開成を検出すると、図３の（Ｓ７）へ戻り以降前述同様の動作が行われる。尚、図示しないが制御手段２５は開閉検出手段を備えている。
【００２２】
前記図５の（Ｓ２４）で、調理モード状態のとき、ドア３が開成されると調理を中断して（Ｓ３４）へ遷移する。（Ｓ３４）では、この後スタートキー５ｃを押圧操作して調理を行う予定があると思われるため、ここではタイマー２７のセット時間を３０分に再セットし、（Ｓ１７）へ戻ってタイマー２７のタイマー計時が再開され以降前述同様の動作が行われる。
【００２３】
（Ｓ２０）で、制御手段２５が再びドア３の開成を検出すると、（Ｓ３４）へ遷移する。（Ｓ３４）では、単にドア３を開成しただけでは、この後調理を行うかどうか判らないので、タイマー２７のセット時間を５分に再設定して（Ｓ１７）へ戻り、タイマー２７のタイマー計時が再開され以降前述同様の動作が行われる。
【００２４】
（Ｓ２１）で、使用者が入力手段５を操作、例えば、レンジキー５ｂとダイヤル５ｅの回動で、「レンジ」、「６：００（６分）」すると、（Ｓ３４）へ遷移する。（Ｓ３４）では、この後スタートキー５ｃを押圧操作して調理を行う予定があると思われるため、ここではタイマー２７のセット時間を３０分に再設定し、（Ｓ１７）へ戻り、タイマー２７のタイマー計時を再開し以降前述同様の動作が行われる。
【００２５】
また、図３の（Ｓ１２）で、タイマー２７にセットされた時間をカウントし終えたとき、この状態を（Ｓ１２）で判定し、図５の（Ｓ３５）へ遷移する。（Ｓ３５）で制御手段２５はリレー２２をＯＦＦし、その後、表示手段６を消灯（Ｓ３６）し、前述した省電力モード状態へ遷移（本発明のモード変更手段に相当）する（Ｓ３７）。
【００２６】
その後、（Ｓ３８）で入力手段５からの操作入力の検出がなく、（Ｓ３９）でドア３の閉塞がない場合は省電力モード状態を継続するが、（Ｓ３８）で、制御手段２５が入力手段５からの操作入力を検出すると、（Ｓ７）へ戻り、再びリレー２２をＯＮ（Ｓ７）し、表示手段６を点灯（Ｓ８）し、調理待機モード状態へ遷移し以降前述同様の動作が行われる。
【００２７】
ここで、図４の（Ｓ３８）での入力手段５の操作により行われる図３の（Ｓ８）での表示手段６の表示は、受け付けた操作入力に対する表示をするようにしても良いが、まず調理待機モード状態の初期状態である「０」を表示しても良い。また、その直前の調理待機モード状態が調理設定中、若しくは調理中断中であった場合、まずその表示をするようにしても良い。この時、この後スタートキー５ｃを押圧操作して調理を行う予定があると思われるため、（Ｓ１０）ではタイマー２７のセット時間を３０分に再設定する。
【００２８】
省電力モード状態のときに図４の（Ｓ３９）でドア３を閉塞すると、ドアスイッチ１０の可動接点１０ａが一方の固定接点１０ｂとの接続をＯＦＦ（Ｓ４０）し、他方の固定接点１０ｃ側にＯＮする。その後、（Ｓ２８）で電源回路２３は商用交流電源８との接続が断たれ以降前述同様の動作が行われる。
【００２９】
以上の様に、ドア３を開成してからタイマー２７のタイマー計時が、所定時間に達したときにリレー２２をＯＦＦすると共に表示手段６を消灯して省電力モード状態へ遷移させるようにしているので、無駄な電力消費を行わずに電力消費の軽減を行うことが可能となる。また、表示手段６も消灯するようにしているので、使用者にも省電力モード状態になっていることが判る。
【００３０】
また、省電力モード状態のとき、入力手段５からの操作入力があると、リレー２２をＯＮし、表示手段６を点灯するようにしている。これにより、わざわざ再度ドア３を閉開させて調理待機モード状態にする必要がなくなるので操作性を向上させることができる。またこの時、リセット回路２４からはリセット信号が出力されていないので、制御手段２５は直前の調理待機モードの状態を記憶していることができ、その時の調理設定状態や調理中断状態を再び表示手段６に表示して、その後、容易に調理を再開できるので、使い勝手が良い。
【００３１】
また、リレー２２はドアスイッチ１０に並列接続され、このドアスイッチ１０がＯＮ動作したときＯＮして商用交流電源８を電源回路２３に接続しているので、調理待機モード状態では、電源回路２３の電荷の充電に関わらずドア３の開成及び閉塞状態のあらゆる場合で商用交流電源８と電源手段２３が接続されているので、リセット回路２４から制御手段２５へリセット信号が出力されることが無く、制御手段２５はリセットして調理設定状態や調理中断状態をクリアしてしまうことがないので、その後、容易に調理を再開できるので、操作性を大幅に向上させることができる。
【００３２】
また、省電力モード状態のとき、制御手段２５のリセットがない間に、ドア３の閉塞から開成の遷移を検出したとき、リレー２２をＯＮして表示手段６を点灯するようにしているので、制御手段２５がリセットするまでの約１秒以上の時間、ドア３を閉塞して、リセット回路２４から制御手段２５へリセット信号を出力してから開成しなくても省電力モード状態を解除して調理待機モード状態にすることができ操作性を大幅に向上させることができる。
【００３３】
また、制御手段２５が入力手段５からの操作入力を検出した場合、タイマー２７のセット時間を再設定するようにしている。これにより、タイマー２７のセット時間の終了間際（省電力モード状態に遷移寸前）の操作入力中、或いは操作入力してすぐに省電力モード状態に遷移してしまうのを防止することができる。従って、省電力モード状態に遷移寸前でも入力手段５からの操作入力を続行でき次の動作に遷移できるので使い勝手を向上させることができる。
【００３４】
また、調理待機モード状態中に、入力手段５からの操作入力による調理設定、若しくはドア３の開成による調理中断の場合、調理待機モード状態の初期状態である「０」表示の時よりタイマー２７の設定時間を約３０分と長くしているので、その後調理を再開できる可能性が高く、使い勝手が良くなる。
【００３５】
また、省電力モード状態中に、入力手段５からの操作入力による調理待機モード状態へ復帰した場合、その直前の調理待機モード状態が調理設定中、若しくは調理中断中のとき、調理待機モード状態の初期状態である「０」表示の時よりタイマー２７の減算時間を約３０分と長くしているで、その後調理を再開できる可能性が高く、使い勝手が良くなる。
【００３６】
実施の形態２．
本発明の他の実施の形態にかかる調理器であるオーブンレンジを説明する。構成は、図１、２と同じであるため、説明を省略する。
【００３７】
斯かる構成の動作を図６乃至８のフローチャートに基づいて説明する。また、図３乃至５に記載したステップと同一のステップ番号が付されたステップは、前述同様の動作のため説明を省略している。なお、図６乃至８のフローチャートにおいても、同一のアルファベット間において、矢印に従い連結しているものである。
【００３８】
以下、図３乃至５のフローチャートと異なる箇所を説明する。図６の（Ｓ１）を実行後使用者がこのオーブンレンジを使用するためにドア３を開成する（Ｓ２）と、ドアスイッチ１０の可動接点１０ａが他方の固定接点１０ｃ側との接続をＯＦＦし一方の固定接点１０ｂ側にＯＮ（Ｓ３）して商用交流電源８から電源回路２３に電力が供給される（Ｓ４）。制御手段２５はこの電源回路２３からの出力である直流電圧の立ち上がりを捉えて、リセット回路２４は制御手段２５にリセット信号を出力する（Ｓ５）。このリセット信号を受けて制御手段２５はＯＮすると共に動作のリセットを行い（Ｓ６）、リレー２２をＯＮして表示手段６へ通電を開始し（Ｓ８）する。ここで制御手段２５は、調理待機モード状態の初期状態である「０」を表示手段６に表示し、調理待機モード状態となる（Ｓ９）。
【００３９】
次に（Ｓ１０）乃至（Ｓ１２）を実行し図８の（Ｓ１３）でドア３を閉塞すると、ドアスイッチ１０の可動接点１０ａが一方の固定接点１０ｂとの接続をＯＦＦ（Ｓ１６）し、その後、（Ｓ４１）で電源回路２３は商用交流電源８との接続が断たれる。このとき、電源回路２３の容量の関係により、ドア３を開成してから１秒未満でドア３を閉塞すると、電源回路２３に充分な電荷が貯えられず、リセット回路２４のリセット信号が出力される（Ｓ４２）。
【００４０】
リセット信号によって図７の（Ｓ３１）で制御手段２５がＯＦＦし、表示手段６への通電が消灯（Ｓ３２）して消費電力ゼロモード状態の状態になる。即ち、電源回路２３から制御手段２５へ、制御手段２５が正常に動作する直流電圧を発生していない消費電力ゼロモード状態に戻る（Ｓ３３）。また、ドア３を開成してから１秒以上経過した後ドア３が閉塞されると、電源回路２３に充分な電荷が貯えられるので、図８の（Ｓ４２）においてリセット回路２４からはリセット信号が出力されず、リレー２２をＯＮ（Ｓ４３）し、（Ｓ４４）でタイマー２７のセット時間を再セットし、引き続きタイマー２７のタイマー計時を継続する（Ｓ１７）。
【００４１】
（Ｓ４４）で表示手段６の表示が、調理設定中、若しくは調理中断中であった場合、この後スタートキー５ｃを押圧操作して調理を行う予定があると思われるため、タイマー２７のセット時間を３０分に設定すると良い。
【００４２】
一方、図７の（Ｓ３９）でドア３を閉塞すると、ドアスイッチ１０の可動接点１０ａが一方の固定接点１０ｂとの接続をＯＦＦ（Ｓ４０）し、その後、（Ｓ２８）で電源回路２３は商用交流電源８との接続が断たれる。そして、ドア３を開成してから１秒以上経過した後にドア３を閉塞すると、電源回路２３に充分な電荷が貯えられるので、リセット回路２４からはリセット信号が出力されず（Ｓ３０）、再びリレー２２をＯＮ（Ｓ４５）し、表示手段６を点灯（Ｓ４６）し、調理待機モード状態へ遷移する（Ｓ４７）。次に図８の（Ｓ３４）でタイマー２７のセット時間を再セットし、引き続きタイマー２７のタイマー計時を継続する（Ｓ１７）。
【００４３】
ここで、（Ｓ３９）でのドア３の閉塞による表示手段６の表示（Ｓ４６）は、その直前の調理待機モード状態が調理設定中、若しくは調理中断中であった場合、その調理設定中、若しくは調理中断中を表示をするようにしても良く、また、調理待機モード状態の初期状態である「０」を表示しても良い。この時、この後スタートキー５ｃを押圧操作して調理を行う予定があると思われるため、（Ｓ３４）ではタイマー２７のセット時間を３０分に設定すると良い。
【００４４】
以上の様に、省電力モード状態において、入力手段５による操作入力や、ドア３を閉塞しただけで、自動的に表示手段６の表示を調理待機モード状態にするようにしているので、わざわざ再度ドア３を閉開させて調理待機モード状態にする必要がなくなり操作性を大幅に向上することができる。またこの時、リセット回路２４からはリセット信号が出力されていないので、制御手段２５は直前の調理待機モードの状態を記憶していることができ、その時の調理設定状態や調理中断状態を再び表示手段６に表示して、その後、容易に調理を再開できるので、使い勝手が良い。
【００４５】
また、調理待機モード状態においてドア３を開成すると、ドアスイッチ１０の可動接点１０ａが一方の固定接点１０ｂ側にＯＮするので、リレー２２を介さなくても商用交流電源８を電源回路２３に接続することができ、リレー２２をＯＮする必要がない。従って、ドア３を開成している調理待機モード状態では、リレー２２をＯＦＦし、ドア３の閉塞を検出して、リレー２２をＯＮするようにしているので、リレー２２への通電電力消費を削除することができる。
【００４６】
実施の形態３．
以下、本発明の他の実施の形態にかかる調理器であるオーブンレンジを図９を用いて説明する。図９は本実施形態のオーブンレンジの横断面図である。尚、オーブンレンジの構成は、図１と同じであるため、説明を省略する。
【００４７】
図９において、物理量測定手段２８は、食品３１の重量を測定する手段で、加熱室２の底部に配置されたターンテーブル２９を加熱室２内で回動させるターンテーブルモータ１３の下部に設けられている。シャフト３０は、加熱室２の底部を貫通してターンテーブル２９に固定されており、ターンテーブル２９に食品３１が載せられたときターンテーブル２９とともに下降し、食品３１が取り出されたときはターンテーブル２９とともに上昇し、鉛直方向に変位する。また、物理量測定手段２８は、図示しないがシャフト３０の鉛直方向の変位に連動する変位部材を備えると共に、この変位部材の変位によって変位する対向電極を備えた構成で、シャフト３０に加わる重量に応じて対向電極の静電容量が変化することで、食品３１の重量を検出する。
【００４８】
図１０は、このオーブンレンジの制御回路図を示している。尚、図２と同じ符号のものは説明を省略する。初期物理量記憶手段３２は、ドアスイッチ１０がＯＮ動作して商用電源８から電源回路２３に電力が供給されたときに、物理量測定手段２８は検出した食品３１の初期の重量（初期物理量）を記憶し、以降制御手段２５は、随時初期物理量記憶手段３２が記憶した初期物理量（以降初期食品重量と称す）と、物理量測定手段２８が検出した食品重量とを比較する。
【００４９】
斯かる構成の動作を図１１乃至１３のフローチャートに基づいて説明する。また、図６乃至８に記載したステップと同一のステップ番号が付されたステップは、前述同様の動作のため説明を省略している。なお、図１１乃至１３のフローチャートにおいても、同一のアルファベット間において、矢印に従い連結しているものである。
【００５０】
以下、前述の実施の形態で説明したフローチャートと異なる箇所のみ説明を行う。まず、図１１の（Ｓ１）乃至（Ｓ５）を実行し（Ｓ６）で、制御手段２５がＯＮすると、表示手段６へ通電を開始し（Ｓ８）、物理量測定手段２８で、初期食品重量Ｗ０を測定し、その初期食品重量Ｗ０を初期物理量記憶手段３２へ記憶（Ｓ４８）し、（Ｓ９）乃至（１２）を実行して図１３の（Ｓ１３）に進む。
【００５１】
図１３の（Ｓ１３）で入力手段５からの操作入力の検出がない（Ｓ１４）と、（Ｓ４９）へ遷移する。（Ｓ４９）で所定物理量以上の重量変動がないと、図１１の（Ｓ１１）へ遷移しタイマー２７のタイマー計時を継続する。また図１３の（Ｓ４９）で使用者がターンテーブル２９に食品３１を載置すると、制御手段２５は初期物理量記憶手段３２が記憶した初期食品重量Ｗ０と、物理量測定手段２８が検出した食品重量Ｗとの差｜Ｗ−Ｗ０｜が所定重量（ここでは、物理量測定手段２８の変動バラツキを考え、３０ｇとする。）以上変動すると（Ｓ１５）へ遷移する。（Ｓ１５）では、この後スタートキー５ｃを押圧操作して調理を行う予定があると思われるため、ここではタイマー２７のセット時間を３０分に再設定し、図１１の（Ｓ１１）へ戻りタイマー２７のタイマー計時が再開され以降前述同様の動作が行われる。
【００５２】
また、図１２の（Ｓ３６）、（Ｓ３７）を実行後（Ｓ３８）で入力手段５からの操作入力の検出がないと、（Ｓ５０）へ遷移し、そこで重量変動がないと、（Ｓ３９）へ遷移する。（Ｓ５０）で、使用者がターンテーブル２９に食品３１を載置すると、制御手段２５は初期物理量記憶手段３２が記憶した初期食品重量Ｗ０と、物理量測定手段２８が検出した食品重量Ｗとの差｜Ｗ−Ｗ０｜が所定重量（ここでは、物理量測定手段２８の変動バラツキを考え、３０ｇとする。）以上変動すると、図１１の（Ｓ８）へ戻り、表示手段６を点灯し、調理待機モード状態へ遷移する（Ｓ９）。（以降前述と同じ動作のため省略。）。
【００５３】
以上の様に、省電力モード状態において、物理量測定手段２８で食品３１の重量の変動を検出しただけで、表示手段６の表示を調理待機モード状態にするようにしているので、使い勝手が良い。
【００５４】
ここでは、加熱室２内の食品３１の載置による変動を物理量測定手段２８で検出するようにしたが、その他のセンサーを使用して食品３１の載置を検出するようにしても良いことは言うまでもない。
【００５５】
実施の形態４．
本発明の他の実施の形態にかかる調理器であるオーブンレンジを説明する。構成は、図１、２と同じであるため、説明を省略する。
【００５６】
斯かる構成の動作を図１４のフローチャートに基づいて説明する。まずとりけしキー５ｄを押圧する（Ｓ５１）と、（Ｓ５２）へ遷移し、制御手段２５がＯＮしていないと、消費電力ゼロモード状態となる（Ｓ５３）。
【００５７】
（Ｓ５２）で、制御手段２５がＯＮしていると、（Ｓ５４）へ遷移し、省電力モード状態であるか否かを判断する。省電力モード状態であると判断すると、リレー２２をＯＮし（Ｓ５５）、表示手段６の表示を調理待機モード状態である旨の表示をし（Ｓ５６）、調理待機モードとなる（Ｓ５７）。
【００５８】
（Ｓ５４）で、省電力モード状態でないと判断すると、（Ｓ５８）へ遷移し、調理モード状態か否かを判断する。調理中であると判断すると、とりけしキー５ｄは調理取消処理を行い（Ｓ５９）、表示手段６の表示を調理待機モード状態の初期状態の「０」を表示し、調理待機モードとなる（Ｓ５７）。ここで、調理待機モード状態の表示手段６の表示が省電力モードからの復帰と違う表示をする場合もあるが、これは前述した通り、初期状態の「０」表示と、調理設定中や調理中断中などの表示があるためである。
【００５９】
（Ｓ５８）で、調理モード状態でないと判断すると、（Ｓ６０）へ遷移し調理設定判断手段（図示せず）は、調理待機モード状態の調理設定中か否かを判断する。調理設定中であると判断すると、設定取消処理を行い（Ｓ６１）、表示手段６の表示を調理待機モード状態の初期状態の「０」を表示し、調理待機モードとなる（Ｓ５７）。
【００６０】
（Ｓ６０）で、調理待機モード状態の調理設定中でないと判断すると、（Ｓ６２）へ遷移し、調理待機モード状態の調理中断中であるか否かを判断する。調理中断中であると判断すると、設定取消処理を行い（Ｓ６１）、表示手段６の表示を調理待機モード状態の初期状態の「０」を表示し、調理待機モードとなる（Ｓ５７）。
【００６１】
（Ｓ６２）で、調理待機モード状態の調理中断中でないと判断すると、表示手段６の表示に調理待機モード状態の初期状態の「０」を表示している状態であるので、リレー２２をＯＦＦし（Ｓ６３）した後（Ｓ６４）へ遷移する。
【００６２】
（Ｓ６４）でドア３が閉塞していると、消費電力ゼロモード状態となる（Ｓ５３）。（Ｓ６４）でドア３が開成していると、表示手段６を消灯（Ｓ６５）し、省電力モード状態へ遷移する（Ｓ６６）。
【００６３】
以上の様に、調理待機モード状態において、とりけしキー５ｄを押圧した場合、調理設定中或いは調理中断中でないと判断すれば、所定の時間に達する前に直ちにリレー２２をＯＦＦし、その状態でさらにドア３が開成されているときは、表示手段６の表示を消灯にするようにしている。これにより、加熱室２を冷却するためにドア３を開放して調理待機モード状態になっても、使用者がとりけしキー５ｄの押圧で直ちに省電力モード状態にできるので、より電力消費を軽減することができる。また、加熱室２から食品３１を取り出してドア３を閉めたとき、使用者がとりけしキー５ｄの押圧で直ちに消費電力ゼロモード状態にできるので、より電力消費を軽減することができる。
【００６４】
また、本発明は、前述の各実施の形態に限定されるものではなく、適宜組み合せても同様の効果を発するのは言うまでもない。
【００６５】
その他、本発明は、前述の各実施の形態のオーブンレンジに限定されるものでなく、種々の電源で動作する電子レンジ、電気オーブン、トースターなどの、調理器機器に応用しても良いのは言うまでもない。
【００６６】
【発明の効果】
以上説明したように本発明によれば、食品を収納するために開閉するドアを有する加熱室と、この加熱室内の食品を加熱する加熱源と、この加熱源の動作内容を設定する入力手段と、ドアの開閉を検出するドア開閉検出手段と、入力手段の設定に基づいて加熱源の動作を制御する制御手段と、この制御手段の電源を供給する電源手段と、制御手段に電源が供給されて加熱源が動作していない調理待機モード状態や加熱源が動作している調理モード状態である旨を表示する表示手段と、商用電源と電源手段との間に介設されてドアの開成でＯＮ動作し閉塞でＯＦＦ動作するドアスイッチと、このドアスイッチに並列接続された電力開閉手段と、ドアスイッチがＯＮして商用電源から電源手段に電力が供給されたときに、所定のタイマー時間を設定して計時を開始するタイマー手段と、このタイマー手段での計時がタイマー時間に達したときに、電力開閉手段をＯＦＦし、及び／又は、表示手段の表示を消灯して省電力モード状態へ遷移させるモード変更手段とを備えているので、例えばドアが開成されて調理待機モード状態になっていても所定時間内にドアが閉塞されない場合自動的に省電力モード状態にすることができる。これにより、無駄な電力が消費されなくなるので電力消費の軽減を行うことができるようになるものである。
【００６７】
請求項２に係る発明によれば上記において、電力開閉手段はドアスイッチに並列接続され、このドアスイッチがＯＮ動作したときＯＮして商用電源を電源手段に接続しているので、調理待機モード状態では、ドアの開成時間に関わらず、ドアの開成及び閉塞状態のあらゆる場合で商用電源と電源手段が接続されているので、リセット回路から制御手段へリセット信号が出力されることがなく、制御手段はリセットして調理設定状態や料理中断状態をクリアしてしまうことがないので、その後、容易に調理を再開できるので操作性を大幅に向上させることができるものである。また、省電力モード状態のとき入力手段から入力があった場合に、電力開閉手段をＯＮし、及び／又は、表示手段の表示を点灯するので、その後ドアの閉塞があっても商用電源と電源手段が接続されているので、リセット回路から制御手段へリセット信号が出力されることがなく、制御手段はリセットして調理設定状態や調理中断状態をクリアしてしまうことがないので、その後、容易に調理を再開できるので、操作性を大幅に向上させることができるものである。
【００６８】
請求項３に係る発明によれば上記において、電力開閉手段はドアスイッチに並列接続され、ドア開閉検出手段がドアの開成を検出しているときはＯＦＦし、ドアの閉塞を検出するとＯＮして商用電源を電源手段に接続するようにしているので、ドアを開成している調理待機モード状態では電力開閉手段への通電電力消費を削除することができるようになるものである。
【００６９】
請求項４に係る発明によれば、上記各請求項において、モード変更手段は、省電力モード状態のとき、入力手段からの操作入力を検出した場合、又は、ドア開閉検出手段がドアの閉塞から開成への遷移を検出した場合、若しくは、ドア開閉検出手段がドアの閉塞を検出した場合に電力開閉手段をＯＮし、及び／又は、表示手段の表示を点灯し、タイマー手段の計時を再セットして計時を開始するので、タイマー手段のセット時間の終了間際（省電力モード状態に遷移寸前）の操作入力中、或いは操作入力してすぐ省電力モード状態に遷移してしまうのを防止することができる。これにより、省電力モード状態に遷移寸前でも入力手段からの操作入力を続行できるようになり支障なく調理モード状態に遷移させることができるので使い勝手を大幅に向上させることができるようになるものである。
【００７０】
請求項５に係る発明によれば、上記各請求項に加えて、加熱室の物理量を測定する物理量測定手段と、ドアスイッチがＯＮして商用電源から電源手段に電力が供給されたときに、物理量測定手段が検出した初期物理量を記憶する初期物理量記憶手段とを備え、モード変更手段は、省電力モード状態のとき、物理量測定手段が検出した物理量が初期物理量記憶手段の記憶している初期物理量から所定物理量以上変動した場合に電力開閉手段をＯＮし、及び／又は、表示手段の表示を点灯し、タイマー手段の計時を再セットして計時を開始するので、例えば、ドアが開成された状態で省電力モード状態に遷移している場合でも、使用者がターンテーブルに食品を載置するだけで調理待機モード状態に遷移させることができる。これにより、再度ドアを閉じて開き調理待機モード状態に遷移させる煩わしさを解消することができるようになるものである。
【００７１】
請求項６に係る発明によれば、上記各請求項において、調理待機モード状態において調理設定中、若しくは、調理中断中であるか否かを判断する調理設定判断手段を備え、入力手段は、調理待機モード状態において調理時間等を設定する調理設定手段と、調理モード状態においては調理を中止し、調理待機モード状態においては調理設定を取り消す取消手段とを有し、調理待機モード状態において取消手段からの操作入力を検出したとき、調理設定判断手段が調理設定中、若しくは、調理中断中でないと判断した場合には、タイマー手段での計時がタイマー時間に達する以前に、電力開閉手段をＯＦＦし、及び／又は、表示手段の表示を消灯して省電力モード状態へ遷移させるので、短時間で無駄な消費電力を軽減させることができるようになる。
【００７２】
請求項７に係る発明によれば、上記各請求項において、タイマー手段での計時がタイマー時間に達する以前に、入力手段からの操作入力を検出した場合に、タイマー時間を再設定して計時を開始するので、タイマー手段のセット時間の終了間際の操作入力中、或いは操作入力してすぐ省電力モード状態に遷移してしまうのを防止することができる。これにより、省電力モード状態に遷移寸前の場合でも入力手段からの操作入力を続行できるようになり支障なく調理モード状態に遷移させることができるので使い勝手を大幅に向上させることができるようになるものである。
【００７３】
請求項８に係る発明によれば、上記各請求項において、調理待機モード状態のとき、タイマー手段は、入力手段からの操作入力による調理設定、若しくは、ドア開閉検出手段によるドア開成検出に基づく調理中断であると判断した場合、タイマー時間を、調理設定中、若しくは、調理中断中でない場合のタイマー時間よりも長くするので、その後調理を再開できる可能性が高くなり、操作性を大幅に向上させることができるようになるものである。
【００７４】
請求項９に係る発明によれば、上記各請求項において、省電力モード状態のとき、入力手段からの操作入力を検出した場合、タイマー手段は、直前の調理待機モード状態が調理設定中、若しくは、調理中断中であると判断したときは、タイマー時間を、調理設定中、若しくは、調理中断中でない場合のタイマー時間よりも長くするので、その後調理を再開できる可能性が高くなり、操作性を大幅に向上させることができるようになるものである。
【図面の簡単な説明】
【図１】本発明の一実施形態にかかる調理器であるオーブンレンジの外観斜視図。
【図２】本発明の一実施形態にかかる調理器であるオーブンレンジの制御回路図。
【図３】本発明の一実施形態にかかる調理器であるオーブンレンジの動作を示すフローチャート。
【図４】本発明の一実施形態にかかる調理器であるオーブンレンジの動作を示すフローチャート。
【図５】本発明の一実施形態にかかる調理器であるオーブンレンジの動作を示すフローチャート。
【図６】本発明の一実施形態にかかる調理器であるオーブンレンジの動作を示すフローチャート。
【図７】本発明の一実施形態にかかる調理器であるオーブンレンジの動作を示すフローチャート。
【図８】本発明の一実施形態にかかる調理器であるオーブンレンジの動作を示すフローチャート。
【図９】本発明の一実施形態にかかる調理器であるオーブンレンジの横断面図である。
【図１０】本発明の一実施形態にかかる調理器であるオーブンレンジの制御回路図である。
【図１１】本発明の一実施形態にかかる調理器であるオーブンレンジの動作を示すフローチャート。
【図１２】本発明の一実施形態にかかる調理器であるオーブンレンジの動作を示すフローチャート。
【図１３】本発明の一実施形態にかかる調理器であるオーブンレンジの動作を示すフローチャート。
【図１４】本発明の一実施形態にかかる調理器であるオーブンレンジの動作を示すフローチャート。
【符号の説明】
１  オーブンレンジ本体、２  加熱室、３  ドア、４  操作部、５  入力手段、５ａ  あたためキー、５ｂ  レンジキー、５ｃ  スタートキー、５ｄ  とりけしキー、５ｅ  ダイヤル、６  表示手段、８  商用交流電源、９  電流ヒューズ、１０  ドアスイッチ、１１  モニタスイッチ、１２  オーブンランプ、１３  ターンテーブルモータ、１４  上ヒータ、１５  下ヒータ、１６  高周波発生源、１７  ファンモータ、１８  リレー（メイン）、１９  リレー（上ヒータ用）、２０  リレー（下ヒータ用）、２１  リレー（高周波発生源用）、２２  リレー（電源用）、２３  電源回路、２４  リセット回路、２５  制御手段、２６  ドア開閉検出回路、２７  タイマー、２８  物理量測定手段、２９  ターンテーブル、３０  シャフト、３１  食品、３２  初期物理量記憶手段。
【図１】
2005009696.tif 000003
【図２】
2005009696.tif 000004
【図３】
2005009696.tif 000005
【図４】
2005009696.tif 000006
【図５】
2005009696.tif 000007
【図６】
2005009696.tif 000008
【図７】
2005009696.tif 000009
【図８】
2005009696.tif 000010
【図９】
2005009696.tif 000011
【図１０】
2005009696.tif 000012
【図１１】
2005009696.tif 000013
【図１２】
2005009696.tif 000014
【図１３】
2005009696.tif 000015
【図１４】
2005009696.tif 000016